Podtech/llm-jp-corpus-v4-ja_patent huggingface dataset:
【手続補正書】
【提出日】令和3年7月15日(2021.7.15)
【手続補正１】
【補正対象書類名】明細書
【補正対象項目名】００３１
【補正方法】変更
【補正の内容】
【００３１】
そして、反応プロセスに応じた形状の共役ジエン製造用触媒が収容された反応器に対し、３Ｍ１，３ＢＤＯの流体、または１，３ＢＤＯの流体を、所定の温度まで加熱し供給する。この結果、反応器内で原料流体と共役ジエン製造用触媒に含まれる酸化ジルコニウム及び酸化カルシウムとを接触させて、３Ｍ１，３ＢＤＯ、または１，３ＢＤＯからの脱水反応を進行させる。従って、本例の反応プロセスでは、３Ｍ１，３ＢＤＯの流体からイソプレンを生成し、または１，３ＢＤＯの流体から１，３―ブタジエンを生成することができる。
【手続補正書】
【提出日】令和3年6月30日(2021.6.30)
【手続補正１】
【補正対象書類名】明細書
【補正対象項目名】発明の名称
【補正方法】変更
【補正の内容】
【発明の名称】充電制御装置、及び電動車両
【手続補正２】
【補正対象書類名】明細書
【補正対象項目名】０００１
【補正方法】変更
【補正の内容】
【０００１】
本発明は、充電制御装置、及び電動車両に関する。
【手続補正３】
【補正対象書類名】明細書
【補正対象項目名】０００９
【補正方法】変更
【補正の内容】
【０００９】
本発明に係る充電制御装置は、互いに並列に接続される複数のバッテリパックを充電する充電制御装置であって、外部給電装置から供給される充電電力で前記バッテリパックを充電する充電回路と、前記バッテリパックと前記充電回路とを電気的に接続するコンタクタと、前記充電回路に供給される前記充電電力を制御する充電電力制御部と、前記バッテリパックの充電量情報を取得する充電量情報取得部と、前記充電量情報取得部により取得された前記充電量情報に基づき、複数の前記バッテリパックのうち充電量の低い前記バッテリパックから充電を開始するように前記コンタクタを順次制御する充電制御部と、を含み、前記充電制御部は、複数の前記バッテリパックの電位差が所定の第１閾値以上で、且つ最も充電量が高い前記バッテリパックの充電量が所定の第２閾値以上である場合に、全ての前記コンタクタが閉じてから全ての前記バッテリパックの充電量が略均一となるまで、前記充電電力制御部から前記充電回路への前記充電電力の供給を制限する。
【手続補正４】
【補正対象書類名】明細書
【補正対象項目名】００１０
【補正方法】変更
【補正の内容】
【００１０】
充電制御装置は、複数のバッテリパックに対する充電において、充電量の低いバッテリパックから充電を開始しつつ並列数を増加させていくことにより、バッテリパック間の電位差に対する安全性を確保しつつ充電時間の短縮を図っている。その上で、充電制御装置は、充電前における充電量が最も高いバッテリパックの充電量が所定の第２閾値以上である場合に、全てのバッテリパックが並列に接続されてから充電量が略均一となるまでの間に限り充電電力を制限している。これにより、本発明に係る充電制御装置は、充電中における各バッテリパックの正確な電圧値を取得できない急速充電中においても、充電を完全に停止する時間を設けず、又は最小限に抑えつつ、充電量が偏在したまま充電終了が判定されてしまうことを回避することができる。従って、本発明に係る充電制御装置によれば、互いに並列接続された複数のバッテリパックを充電する場合において、確実に充電量の均一化を図ることができる。
また、本発明に係る充電制御装置は、充電量情報取得部に取得される充電量情報は、充電回路に複数のバッテリパックの少なくとも１つが接続された状態における見せかけのシステム電圧であってもよい。
また、本発明に係る充電制御装置は、充電制御部による充電電力制御部から充電回路への充電電力の供給を制限は、充電中における各バッテリパックの正確な電圧を取得できない急速充電を適用した場合に実施されてもよい。
また、本発明に係る電動車両は、上記いずれかに記載の充電制御装置を備える。
【手続補正５】
【補正対象書類名】特許請求の範囲
【補正対象項目名】全文
【補正方法】変更
【補正の内容】
【特許請求の範囲】
【請求項１】
互いに並列に接続される複数のバッテリパックを充電する充電制御装置であって、
外部給電装置から供給される充電電力で前記バッテリパックを充電する充電回路と、
前記バッテリパックと前記充電回路とを電気的に接続するコンタクタと、
前記充電回路に供給される前記充電電力を制御する充電電力制御部と、
前記バッテリパックの充電量情報を取得する充電量情報取得部と、
前記充電量情報取得部により取得された前記充電量情報に基づき、複数の前記バッテリパックのうち充電量の低い前記バッテリパックから充電を開始するように前記コンタクタを順次制御する充電制御部と、を含み、
前記充電制御部は、複数の前記バッテリパックの電位差が所定の第１閾値以上で、且つ最も充電量が高い前記バッテリパックの充電量が所定の第２閾値以上である場合に、全ての前記コンタクタが閉じてから全ての前記バッテリパックの充電量が略均一となるまで、前記充電電力制御部から前記充電回路への前記充電電力の供給を制限する、充電制御装置。
【請求項２】
前記充電量情報取得部に取得される充電量情報は、前記充電回路に複数のバッテリパックの少なくとも１つが接続された状態におけるシステム電圧である、請求項１に記載の充電制御装置。
【請求項３】
前記充電制御部による前記充電電力制御部から前記充電回路への前記充電電力の供給を制限は、充電中における各バッテリパックの正確な電圧を取得できない急速充電を適用した場合に実施される、請求項１または２に記載の充電制御装置。
【請求項４】
請求項１乃至３のいずれかに記載の充電制御装置を備える電動車両。
【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
フレームを構成する複数のスロットのそれぞれが、前記フレームにおける順序に応じた値を示すスロットカウンタ情報と、前記複数のスロットのそれぞれに対応するスロットのスロット毎の伝送モードを示す伝送モード情報と、一のフレームにおける前記複数のスロットのそれぞれに対応するスロットに関する各伝送モードの割り当てスロット数の情報と、を含む信号を受信する受信手段と、
前記複数のスロットのそれぞれに対応するスロットのスロット毎の伝送モードを示す伝送モード情報に基づいて、当該スロットの伝送モードを特定する伝送モード特定手段と、
前記伝送モード特定手段によって特定された伝送モードに応じて、前記信号に基づくデータをデコードするデコード手段と、
を備えることを特徴とする受信機器。
【請求項２】
フレームを構成する複数のスロットのそれぞれが、前記フレームにおける順序に応じた値を示すスロットカウンタ情報と、前記複数のスロットのそれぞれに対応するスロットのスロット毎の伝送モードを示す伝送モード情報と、一のフレームにおける前記複数のスロットのそれぞれに対応するスロットに関する各伝送モードの割り当てスロット数の情報と、を含む信号を受信するステップと、
前記複数のスロットのそれぞれに対応するスロットのスロット毎の伝送モードを示す伝送モード情報に基づいて、当該スロットの伝送モードを特定するステップと、
前記特定された伝送モードに応じて、前記信号に基づくデータをデコードするステップと、
を備えることを特徴とする受信方法。
【請求項３】
コンピュータに、
フレームを構成する複数のスロットのそれぞれが、前記フレームにおける順序に応じた値を示すスロットカウンタ情報と、前記複数のスロットのそれぞれに対応するスロットのスロット毎の伝送モードを示す伝送モード情報と、一のフレームにおける前記複数のスロットのそれぞれに対応するスロットに関する各伝送モードの割り当てスロット数の情報と、を含む信号を受信する受信処理と、
前記複数のスロットのそれぞれに対応するスロットのスロット毎の伝送モードを示す伝送モード情報に基づいて、当該スロットの伝送モードを特定する伝送モード特定処理と、
前記伝送モード特定処理によって特定された伝送モードに応じて、前記信号に基づくデータをデコードするデコード処理と、
を実行させるための受信プログラム。
【手続補正２】
【補正対象書類名】明細書
【補正対象項目名】発明の名称
【補正方法】変更
【補正の内容】
【発明の名称】受信機器、受信方法、および受信プログラム
【手続補正書】
【提出日】令和3年6月22日(2021.6.22)
【手続補正１】
【補正対象書類名】特許請求の範囲
【補正対象項目名】全文
【補正方法】変更
【補正の内容】
【特許請求の範囲】
【請求項１】
送電コイルから送電される電力を受電する受電コイルと、
前記受電コイルと当該受電コイルが受電した電力が供給される給電対象との間に設けられたトランスであって、一次コイルが前記受電コイルに接続され、二次コイルが前記給電対象に接続されたトランスと、を備え、
前記一次コイルの巻き数は、前記二次コイルの巻き数より多い、
受電装置。
【請求項２】
前記受電コイルとともに共振回路を構成する第１コンデンサをさらに備える、
請求項１に記載の受電装置。
【請求項３】
前記第１コンデンサは、前記受電コイルに直列接続される、
請求項２に記載の受電装置。
【請求項４】
前記受電コイル及び前記第１コンデンサとともに前記共振回路を構成する第２コンデンサをさらに備える、
請求項２に記載の受電装置。
【請求項５】
前記第１コンデンサと前記第２コンデンサとは、直列接続される、
請求項４に記載の受電装置。
【請求項６】
前記第２コンデンサは、前記受電コイルに並列接続される、
請求項４に記載の受電装置。
【請求項７】
前記二次コイルと前記給電対象との間に設けられた整流回路をさらに備える、
請求項１から６のいずれか一項に記載の受電装置。
【請求項８】
前記トランスの前記二次コイルの両端にそれぞれ直列接続された第１コンデンサ及び第２コンデンサをさらに備える、
請求項１に記載の受電装置。
【請求項９】
前記受電コイルの一端に接地電位が供給される、
請求項１から８のいずれか一項に記載の受電装置。
【請求項１０】
請求項１から９のいずれか一項に記載の受電装置と、
前記送電コイル及び当該送電コイルに電源電圧を供給する電源回路を備える送電装置と、を備える、
無線給電システム。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
タッチパネルを有する端末装置であって、
前記端末装置は、ユーザの身体の部位に接触される複数の電極を有する電気治療器と通信可能に構成されており、
所定画像を前記タッチパネルの表示画面に表示する表示制御部と、
前記表示画面に表示された前記所定画像へのタッチ操作に応じて、前記複数の電極のうちの２つの電極で構成される１組の電極を選択する選択部と、
前記選択された１組の電極へパルス電圧を印加するように前記電気治療器に指示する指示部とを備え、
前記所定画像における複数の領域は、前記複数の電極とそれぞれ関連付けられており、
前記選択部は、
前記所定画像へのタッチ操作に応じて、前記複数の領域のうちの２つの領域で構成される１組の領域を抽出し、当該１組の領域に対応する前記１組の電極を選択し、
前記複数の領域のうち、前記タッチ操作で指定された１つのタッチ位置に最も近い２つの領域を前記１組の領域として抽出する、端末装置。
【請求項２】
前記タッチ操作による前記タッチパネルに対する押圧力を検出する押圧検出部と、
前記１組の電極が選択されたときの前記押圧力に基づいて、前記部位に与えられる電気刺激強度を調整する調整部とをさらに備え、
前記指示部は、前記調整された電気刺激強度に対応するパルス電圧を前記１組の電極へ印加するように前記電気治療器に指示する、請求項１に記載の端末装置。
【請求項３】
前記調整部は、前記押圧力が大きいほど前記電気刺激強度を大きくする、請求項２に記載の端末装置。
【請求項４】
一連の前記タッチ操作に応じて、前記選択部により選択された複数の前記１組の電極の各々と、当該１組の電極が選択された順序とを含むパターン情報を格納する情報格納部をさらに備え、
前記指示部は、前記情報格納部に格納されたパターン情報に基づいて、各前記１組の電極へパルス電圧を印加するように前記電気治療器へ指示する、請求項１〜３のいずれか１項に記載の端末装置。
【請求項５】
タッチパネルを有する電気治療器であって、
ユーザの身体の部位に接触される複数の電極と、
所定画像を前記タッチパネルの表示画面に表示する表示制御部と、
前記表示画面に表示された前記所定画像へのタッチ操作に応じて、前記複数の電極のうちの２つの電極で構成される１組の電極を選択する選択部と、
前記選択された１組の電極へパルス電圧を印加することにより前記部位の治療を行なう治療実行部とを備え、
前記所定画像における複数の領域は、前記複数の電極とそれぞれ関連付けられており、
前記選択部は、
前記所定画像へのタッチ操作に応じて、前記複数の領域のうちの２つの領域で構成される１組の領域を抽出し、当該１組の領域に対応する前記１組の電極を選択し、
前記複数の領域のうち、前記タッチ操作で指定された１つのタッチ位置に最も近い２つの領域を前記１組の領域として抽出する、電気治療器。
【請求項６】
ユーザの身体の部位に接触される複数の電極を有する電気治療器と、
タッチパネルを有し、前記電気治療器と通信可能に構成された端末装置とを備え、
前記端末装置は、
所定画像を前記タッチパネルの表示画面に表示する表示制御部と、
前記表示画面に表示された前記所定画像へのタッチ操作に応じて、前記複数の電極のうちの２つの電極で構成される１組の電極を選択する選択部と、
前記選択された１組の電極へパルス電圧を印加するように前記電気治療器に指示する指示部とを含み、
前記所定画像における複数の領域は、前記複数の電極とそれぞれ関連付けられており、
前記選択部は、
前記所定画像へのタッチ操作に応じて、前記複数の領域のうちの２つの領域で構成される１組の領域を抽出し、当該１組の領域に対応する前記１組の電極を選択し、
前記複数の領域のうち、前記タッチ操作で指定された１つのタッチ位置に最も近い２つの領域を前記１組の領域として抽出する、治療システム。
【請求項７】
タッチパネルを有する端末装置であって、
前記端末装置は、ユーザの身体の部位に接触される複数の電極を有する電気治療器と通信可能に構成されており、
所定画像を前記タッチパネルの表示画面に表示する表示制御部と、
前記表示画面に表示された前記所定画像へのタッチ操作に応じて、前記複数の電極のうちの２つの電極で構成される１組の電極を選択する選択部と、
前記選択された１組の電極へパルス電圧を印加するように前記電気治療器に指示する指示部と、
一連の前記タッチ操作であるスライド操作に応じて、前記選択部により選択された複数の前記１組の電極の各々と、当該１組の電極が選択された順序とを含むパターン情報を格納する情報格納部とを備え、
前記指示部は、前記情報格納部に格納されたパターン情報に基づいて、各前記１組の電極へパルス電圧を印加するように前記電気治療器へ指示し、
前記表示制御部は、前記スライド操作を示す軌跡を前記表示画面に表示する、端末装置。
【手続補正２】
【補正対象書類名】明細書
【補正対象項目名】００７７
【補正方法】変更
【補正の内容】
【００７７】
電極群画像５１２は、電気治療器２０のパッド２の一方の治療部２Ｙに形成された電極群６１（図５参照）に対応する画像であり、電極群画像５１４は他方の治療部２Ｙに形成された電極群６５に対応する画像である。電極群画像５１２，５１４は、それぞれ実際の電極群６１，６５の電極形状（すなわち、ハニカム形状）に合わせて、操作画面５５０にハニカム状に配置される。具体的には、電極群６１の各電極の配置方式に合わせて、電極群画像５１２における各電極画像が配置され、電極群６５の各電極の配置方式に合わせて電極群画像５１４における各電極画像が配置される。
【手続補正３】
【補正対象書類名】明細書
【補正対象項目名】０１１３
【補正方法】変更
【補正の内容】
【０１１３】
表示制御部４０７は、タッチパネル１５５の表示画面に電極群６１，６５の各々を示す各電極画像を配置する。具体的には、表示制御部４０７は、タッチ操作（およびタッチ位置）に応じて、上述した操作画面５５０〜５７０を表示する。例えば、表示制御部４０７は、タッチ操作を反映する軌跡７１０，７２０をディスプレイ１５６に表示する。典型的には、表示制御部４０７は、プロセッサ１５２により実現される。
【手続補正４】
【補正対象書類名】明細書
【補正対象項目名】０１５２
【補正方法】変更
【補正の内容】
【０１５２】
［構成１］
タッチパネル（１５５）を有する端末装置（１０）であって、
前記端末装置は、ユーザの身体の部位に接触される複数の電極を有する電気治療器（２０）と通信可能に構成されており、
所定画像を前記タッチパネルの表示画面に表示する表示制御部（４０７）と、
前記表示画面に表示された前記所定画像へのタッチ操作に応じて、前記複数の電極のうちの２つの電極で構成される１組の電極を選択する選択部（４０３）と、
前記選択された１組の電極へパルス電圧を印加するように前記電気治療器に指示する指示部（４０５）とを備える、端末装置（１０）。
【手続補正５】
【補正対象書類名】図面
【補正対象項目名】図１１
【補正方法】変更
【補正の内容】
【図１１】
2020018384.tif 000001
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
遊技領域に設けられた入球口への入球に基づく遊技球の払出数と遊技球の排出数とに基づいて所定の情報を算出する主制御手段と、
前記入球口のうちの始動口に遊技球が入球したことに基づいて変動演出を制御する演出制御手段と、
電源供給を行う電源供給手段と、を備え、
前記主制御手段は、
遊技者に有利な特別遊技を実行するか否かの確率が定められる設定値を設定可能な設定変更状態に制御する設定変更手段を有し、
前記電源供給が行われていないときは、前記所定の情報を算出せず、
前記電源供給が行われているときは、前記所定の情報を算出可能であって、
前記電源供給が行われているときであっても前記設定変更状態を制御しているときは前記所定の情報を算出しない、
ことを特徴とする遊技機。
【手続補正２】
【補正対象書類名】明細書
【補正対象項目名】０００７
【補正方法】変更
【補正の内容】
【０００７】
（１）本発明に係る遊技機は、遊技領域に設けられた入球口への入球に基づく遊技球の払出数と遊技球の排出数とに基づいて所定の情報を算出する主制御手段と、前記入球口のうちの始動口に遊技球が入球したことに基づいて変動演出を制御する演出制御手段と、電源供給を行う電源供給手段と、を備え、前記主制御手段は、遊技者に有利な特別遊技を実行するか否かの確率が定められる設定値を設定可能な設定変更状態に制御する設定変更手段を有し、前記電源供給が行われていないときは、前記所定の情報を算出せず、前記電源供給が行われているときは、前記所定の情報を算出可能であって、前記電源供給が行われているときであっても前記設定変更状態を制御しているときは前記所定の情報を算出しない、ことを特徴とする。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
遊技領域に設けられた入球口への入球に基づく遊技球の払出数と遊技球の排出数とに基づいて所定の情報を算出する主制御手段と、
前記入球口のうちの始動口に遊技球が入球したことに基づいて変動演出を制御する演出制御手段と、
電源供給を行う電源供給手段と、を備え、
前記主制御手段は、
前記電源供給が行われていないときは、前記所定の情報を算出せず、
前記電源供給が行われているときは、前記所定の情報を算出可能であって、
前記演出制御手段は、
前記電源供給が行われると、当該電源供給に係る画像を表示手段に表示可能であって、
前記主制御手段は、
前記電源供給に係る画像が前記表示手段に表示されているときに前記入球口への入球が行われると前記所定の情報を算出可能である、
ことを特徴とする遊技機。
【手続補正２】
【補正対象書類名】明細書
【補正対象項目名】０００７
【補正方法】変更
【補正の内容】
【０００７】
（１）本発明に係る遊技機は、遊技領域に設けられた入球口への入球に基づく遊技球の払出数と遊技球の排出数とに基づいて所定の情報を算出する主制御手段と、前記入球口のうちの始動口に遊技球が入球したことに基づいて変動演出を制御する演出制御手段と、電源供給を行う電源供給手段と、を備え、前記主制御手段は、前記電源供給が行われていないときは、前記所定の情報を算出せず、前記電源供給が行われているときは、前記所定の情報を算出可能であって、前記演出制御手段は、前記電源供給が行われると、当該電源供給に係る画像を表示手段に表示可能であって、前記主制御手段は、前記電源供給に係る画像が前記表示手段に表示されているときに前記入球口への入球が行われると前記所定の情報を算出可能である、ことを特徴とする。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
遊技領域に設けられた入球口への入球に基づく遊技球の払出数と遊技球の排出数とに基づいて所定の情報を算出する主制御手段と、
前記遊技球の払出を制御する払出制御手段と、を備え、
前記主制御手段は、
前記入球口への入球に基づいて遊技球の払出を指示する払出信号を前記払出制御手段に送信可能であり、
前記払出制御手段は、
前記払出信号に対応する払出が完了したことを示す払出完了信号を前記主制御手段に送信可能であり、
前記主制御手段は、
前記入球口への入球に基づいて前記払出信号を送信した後、
前記払出完了信号を受信する前に前記所定の情報の算出を完了させる、
ことを特徴とする遊技機。
【手続補正２】
【補正対象書類名】明細書
【補正対象項目名】０００８
【補正方法】変更
【補正の内容】
【０００８】
本発明に係る遊技機は、遊技領域に設けられた入球口への入球に基づく遊技球の払出数と遊技球の排出数とに基づいて所定の情報を算出する主制御手段と、前記遊技球の払出を制御する払出制御手段と、を備え、前記主制御手段は、前記入球口への入球に基づいて遊技球の払出を指示する払出信号を前記払出制御手段に送信可能であり、前記払出制御手段は、前記払出信号に対応する払出が完了したことを示す払出完了信号を前記主制御手段に送信可能であり、前記主制御手段は、前記入球口への入球に基づいて前記払出信号を送信した後、前記払出完了信号を受信する前に前記所定の情報の算出を完了させる、ことを特徴とする。
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
賞球数が設定された複数の入賞口を遊技領域に配設し、
該遊技領域から排出された遊技球を検出するアウト検出手段と、
遊技により発生した各種情報を記憶する記憶手段と、
該記憶手段が記憶する前記各種情報に基く演算結果を表示する表示手段と、
前記遊技領域を有する遊技盤に対して開閉可能に支持されたガラス枠と、
前記アウト検出手段が遊技球を検出すると報知を行うアウト報知手段と、
遊技の進行を制御する主制御装置が表示制御して遊技の進行状態を表示する状態表示装置と、
を備えた弾球遊技機であって、
前記表示手段は、前記記憶手段が記憶する前記各種情報が所定の記憶量に達するまでは非表示状態を維持し、所定の記憶量に達すると表示状態とし、
前記アウト報知手段は、電源投入から所定条件が成立するまで前記状態表示装置の表示態様を変化させ、
前記所定条件が未成立でも前記ガラス枠を閉鎖すると前記報知を終了する
ことを特徴とする弾球遊技機。
【手続補正２】
【補正対象書類名】明細書
【補正対象項目名】０００８
【補正方法】変更
【補正の内容】
【０００８】
請求項１記載の弾球遊技機は、
賞球数が設定された複数の入賞口を遊技領域に配設し、
該遊技領域から排出された遊技球を検出するアウト検出手段と、
遊技により発生した各種情報を記憶する記憶手段と、
該記憶手段が記憶する前記各種情報に基く演算結果を表示する表示手段と、
前記遊技領域を有する遊技盤に対して開閉可能に支持されたガラス枠と、
前記アウト検出手段が遊技球を検出すると報知を行うアウト報知手段と、
遊技の進行を制御する主制御装置が表示制御して遊技の進行状態を表示する状態表示装置と、
を備えた弾球遊技機であって、
前記表示手段は、前記記憶手段が記憶する前記各種情報が所定の記憶量に達するまでは非表示状態を維持し、所定の記憶量に達すると表示状態とし、
前記アウト報知手段は、電源投入から所定条件が成立するまで前記状態表示装置の表示態様を変化させ、
前記所定条件が未成立でも前記ガラス枠を閉鎖すると前記報知を終了する
ことを特徴とする弾球遊技機である。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
有底円筒形状をしておりスプリンクラーヘッドに外装され、側面には天井下面に対する取付範囲が表示されているスプリンクラーヘッドの保護キャップであり、
前記側面には第１のスプリンクラーヘッドの取付範囲を示す上段および下段と、
前記上段および前記下段の間に第１のスプリンクラーヘッドの取付基準を示す穴が設置されており、
該穴には第２のスプリンクラーヘッドの取付範囲が表示された表示部材が係合可能であることを特徴とするスプリンクラーヘッド用保護キャップ。
【請求項２】
前記表示部材は円筒形状であり、内周面に前記穴と係合可能な突起を有する請求項１記載のスプリンクラーヘッド用保護キャップ。
【請求項３】
前記表示部材は帯状であり、前記保護キャップの外周面に貼付される請求項１記載のスプリンクラーヘッド用保護キャップ。
【請求項４】
前記表示部材の上端は、前記保護キャップの前記上段に沿って設置される請求項１〜請求項３何れか１項記載のスプリンクラーヘッド用保護キャップ。
【請求項５】
前記表示部材の下端は、前記保護キャップの前記下段に沿って設置される請求項１〜請求項４何れか１項記載のスプリンクラーヘッド用保護キャップ。
【請求項６】
前記表示部材の内周面下方に設置された段部は、前記下段に当接する請求項１〜請求項５何れか１項記載のスプリンクラーヘッド用保護キャップ。
【請求項７】
前記保護キャップの色と前記表示部材の色は異なる請求項１〜請求項６何れか１項記載のスプリンクラーヘッド用保護キャップ。
【請求項８】
前記表示部材には第２のスプリンクラーヘッドの取付基準として複数の穴が穿設されている請求項１〜請求項７何れか１項記載のスプリンクラーヘッド用保護キャップ。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
複数のピン毛が植設されたブラシ部を有するヘアブラシであって、
前記ブラシ部の少なくとも植設面側が人体の頭部形状にほぼ沿う湾曲形状を有し、且つ、前記植設面が、湾曲方向に直交する方向から見て、凸面になっており、
１箇所の植設部位に突出高さが異なる前記複数のピン毛が放射状に拡がった状態でピン毛束として植設され、このピン毛束が前記植設面の長手方向及び長手方向と直交する方向にそれぞれ複数列配置されていることを特徴とするヘアブラシ。
【請求項２】
請求項１に記載したヘアブラシにおいて、
長毛、中毛、短毛の３種類のピン毛でピン毛束が構成されていることを特徴とするヘアブラシ。
【請求項３】
請求項１または２に記載したヘアブラシの使用方法において、
植設面の湾曲形状を頭部に沿わせ、ピン毛を頭皮に当てた状態で左右に動かすことで前記ピン毛に当たった毛髪を浮き上がらせて絡みを解き、
そのまま、前記ピン毛を頭皮に当てた状態で毛髪を揃えたい方向に、ヘアブラシを頭皮から離すことなく、梳くように動かすことで、毛流れを揃えて梳かし切ることを特徴とする使用方法。
【請求項４】
請求項３に記載したヘアブラシの使用方法において、
植設面の半部を頭皮に当て左右に動かすことで絡みを解き、更に半回転させて、残りの半部も頭皮に当てた状態で解くことで、前記残りの半部側の絡みが緩く残った部分も梳かすことを特徴とする使用方法。
【手続補正２】
【補正対象書類名】明細書
【補正対象項目名】０００６
【補正方法】変更
【補正の内容】
【０００６】
本発明は、上記目的を達成するために為されたものであり、請求項１の発明は、複数のピン毛が植設されたブラシ部を有するヘアブラシであって、前記ブラシ部の少なくとも植設面側が人体の頭部形状にほぼ沿う湾曲形状を有し、且つ、前記植設面が、湾曲方向に直交する方向から見て、凸面になっており、１箇所の植設部位に突出高さが異なる前記複数のピン毛が放射状に拡がった状態でピン毛束として植設され、このピン毛束が前記植設面の長手方向及び長手方向と直交する方向にそれぞれ複数列配置されていることを特徴とするヘアブラシである。
【手続補正３】
【補正対象書類名】明細書
【補正対象項目名】０００７
【補正方法】変更
【補正の内容】
【０００７】
請求項２の発明は、請求項１に記載したヘアブラシにおいて、長毛、中毛、短毛の３種類のピン毛でピン毛束が構成されていることを特徴とするヘアブラシである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項３の発明は、請求項１または２に記載したヘアブラシの使用方法において、植設面の湾曲形状を頭部に沿わせ、ピン毛を頭皮に当てた状態で左右に動かすことで前記ピン毛に当たった毛髪を浮き上がらせて絡みを解き、そのまま、前記ピン毛を頭皮に当てた状態で毛髪を揃えたい方向に、ヘアブラシを頭皮から離すことなく、梳くように動かすことで、毛流れを揃えて梳かし切ることを特徴とする使用方法である。
【手続補正８】
【補正対象書類名】明細書
【補正対象項目名】００１２
【補正方法】変更
【補正の内容】
【００１２】
請求項４の発明は、請求項３に記載したヘアブラシの使用方法において、植設面の半部を頭皮に当て左右に動かすことで絡みを解き、更に半回転させて、残りの半部も頭皮に当てた状態で解くことで、前記残りの半部側の絡みが緩く残った部分も梳かすことを特徴とする使用方法である。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
判定条件の成立に基づいて、遊技者に有利な特別遊技が実行される特別遊技状態に移行させるか否かの移行判定を行う移行判定手段と、
複数の有利判定確率に対応する各数値情報を記憶する記憶手段と、
いずれの前記各数値情報を用いて前記移行判定手段による前記移行判定を行うかの設定を行う確率設定手段と、
を備える遊技機であって、
複数種類の数値情報から設定された１つの所定数値情報を記憶する数値情報記憶手段と、
特定の条件が成立する場合に、所定の開始タイミングから所定の終了タイミングまでの規定期間において、少なくとも前記複数種類の数値情報のうちの前記所定数値情報以外の特定数値情報を示す数字又は文字を用いて表示される特定情報を表示手段の所定領域に複数種類表示させる表示制御手段と、
を備え、
前記規定期間においては、前記所定数値情報を示す所定情報が前記表示手段の所定領域に表示されず、
前記数値情報記憶手段に記憶された前記所定数値情報の種類に基づいて、前記規定期間において前記表示手段の所定領域に表示される前記複数種類の前記特定情報の表示順序が設定され、
前記特定の条件は、少なくとも特定の入球領域に遊技球が入球することに基づくものであり、
所定数の遊技球を所定期間転動させて滞留させ得り、所定態様で転動した遊技球を前記特定の入球領域に入球可能とする滞留手段を備え、
特定期間中に前記特定の入球領域に入球する遊技球の数を遊技者が視認可能に構成したことを特徴とする遊技機。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
ハンドル部に移動可能に配置される第一スイッチ部材と、
前記ハンドル部に移動可能に配置される第二スイッチ部材と、を備え、
前記第一スイッチ部材の移動によって、モータへの電力の供給と供給停止とが切り替えられ、
前記第二スイッチ部材の移動によって前記第一スイッチ部材が移動して、前記モータへの電力の供給と供給停止とが切り替えられる、ことを特徴とする、
スイッチ部材。
【請求項２】
モータによって空気とともに塵埃を吸込可能な吸込力を生じさせる本体部と、
ユーザが把持するハンドル部と、
前記ハンドル部に配置される請求項１に記載のスイッチ部材と、
を備えることを特徴とするクリーナ。
【請求項３】
前記第一スイッチ部材は、前記ハンドル部に対して引き込み操作が可能なトリガ操作部材である、
請求項２に記載のクリーナ。
【請求項４】
前記第二スイッチ部材は、前記ハンドル部に対してスライド操作可能なスライド操作部材である、
請求項２に記載のクリーナ。
【請求項５】
前記第二スイッチ部材は、第一方向にスライド操作すると、前記第一スイッチ部材を前記ハンドル部に対して引き込み、前記第一方向と反対の第二方向にスライド操作すると、前記第一スイッチ部材を元の位置に復帰可能にする、
請求項４に記載のクリーナ。
【請求項６】
前記第二スイッチ部材は、前記第一方向の所定位置までスライドした位置を保持するロック機構、を有する、
請求項５に記載のクリーナ。
【請求項７】
前記第一スイッチ部材及び前記第二スイッチ部材は、前記ハンドル部を片手で把持した状態で手指で操作可能な位置に配置されている、
請求項２から６のいずれか一項に記載のクリーナ。
【請求項８】
前記第二スイッチ部材は、前記第一スイッチ部材に接触可能な突出部、を有し、
前記突出部は、前記第二スイッチ部材が第一方向にスライド操作されると、前記第一スイッチ部材に接触することによって、前記第一スイッチ部材を前記ハンドル部に対して引き込み、前記第二スイッチ部材が前記第二方向にスライド操作されると、前記第一スイッチ部材から離間することによって、前記第一スイッチ部材を元の位置に復帰可能にする、
請求項５に記載のクリーナ。
【請求項９】
前記ハンドル部は、前記第二スイッチ部材を位置決めする係合部材、を有し、
前記第二スイッチ部材は、外周面に配置され、前記ロック機構として機能するテーパ面、を有し、
前記テーパ面は、前記係合部材と係合することで、前記第二スイッチ部材の移動を規制する、
請求項６に記載のクリーナ。
【請求項１０】
前記ハンドル部は、前記第二スイッチ部材を位置決めする係合部材、を有し、
前記第二スイッチ部材は、前記係合部材と係合可能な係合面、を有し、
前記係合面は、前記第一スイッチ部材が元の位置に位置付けられた状態で前記係合部材と係合することで、前記第二スイッチ部材の移動を規制する、
請求項５に記載のクリーナ。
【請求項１１】
前記第一スイッチ部材は、前記ハンドル部に対して引き込まれた状態から元の位置に復帰するように付勢する弾性部材、を有し、
前記第二方向は、前記弾性部材の付勢力の作用する方向とは異なる方向である、
請求項５に記載のクリーナ。
【手続補正２】
【補正対象書類名】明細書
【補正対象項目名】発明の名称
【補正方法】変更
【補正の内容】
【発明の名称】スイッチ部材及びクリーナ
【手続補正３】
【補正対象書類名】明細書
【補正対象項目名】０００１
【補正方法】変更
【補正の内容】
【０００１】
本発明は、スイッチ部材及びクリーナに関する。
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
計測対象者の生体信号を検出する複数の信号検出部と、
前記複数の信号検出部のそれぞれと一対一に接続され、前記複数の信号検出部のそれぞれと前記計測対象者との接触状態を検出する複数の接触状態検出部と、
前記複数の信号検出部のそれぞれと一対一に接続され、前記複数の信号検出部のそれぞれが検出した複数の生体信号を前処理する複数の生体信号生成部と、
前記複数の接触状態検出部のそれぞれが検出した接触状態に応じて、前記複数の生体信号生成部の出力信号から少なくとも２つの有効な出力信号を選定する信号判定部と、
前記信号判定部が選定した前記有効な出力信号に対して差分又は加算を行う演算部と、を備える
生体信号計測装置。
【請求項２】
前記複数の接触状態検出部のそれぞれは、前記接触状態として、当該接触状態検出部に接続された信号検出部と前記計測対象者との間のインピーダンスを検出し、
前記信号判定部は、前記インピーダンスの値が一定の値以下である２以上の信号検出部に接続された２以上の生体信号生成部それぞれの出力信号から少なくとも２つを前記有効な出力信号として選定する
請求項１に記載の生体信号計測装置。
【請求項３】
前記信号判定部は、前記２以上の生体信号生成部それぞれの出力信号のうち、振幅が最も大きい出力信号と、振幅が最も小さい出力信号とを前記有効な出力信号として選定する
請求項２に記載の生体信号計測装置。
【請求項４】
前記複数の生体信号生成部のそれぞれは、
当該生体信号生成部と接続された信号検出部が検出した生体信号をバッファするバッファ部と、
前記バッファ部から出力された信号を前処理する生体信号処理部と、を有し、
前記バッファ部は、前記信号検出部に固定されている
請求項１〜３のいずれか１項に記載の生体信号計測装置。
【請求項５】
前記複数の信号検出部は、前記車両のステアリングホイールの左右の把持部と、前記車両の座席シートの背面部及び座面部とに配置されている信号検出部を含む
請求項１〜４のいずれか１項に記載の生体信号計測装置。
【請求項６】
前記複数の信号検出部のそれぞれは、電極を有し、
前記複数の信号検出部の少なくとも１つは、前記計測対象者の生体信号を非接触で検出する容量結合型電極を有する
請求項５に記載の生体信号計測装置。
【請求項７】
前記ステアリングホイールに配置される信号検出部のそれぞれは、前記容量結合型電極を有する
請求項６に記載の生体信号計測装置。
【請求項８】
計測対象者の生体信号を計測する生体信号計測装置の制御方法であって、
複数の信号検出部のそれぞれにおいて、前記計測対象者の生体信号を検出する生体信号検出ステップと、
前記複数の信号検出部のそれぞれと一対一で接続された複数の接触状態検出部のそれぞれにおいて、当該接触状態検出部と接続された信号検出部と前記計測対象者との接触状態を検出する接触状態検出ステップと、
前記複数の信号検出部のそれぞれと一対一に接続された複数の生体信号生成部のそれぞれにおいて、当該生体信号生成部と接続された信号検出部が検出した生体信号を前処理することで出力信号を生成する生成ステップと、
前記接触状態検出ステップで検出された前記接触状態に応じて、前記複数の生体信号生成部の出力信号から少なくとも２つの有効な出力信号を選定する選定ステップと、
選定された前記有効な出力信号に対して差分又は加算を行う演算ステップとを含む
制御方法。
【手続補正書】
【提出日】令和3年7月1日(2021.7.1)
【手続補正１】
【補正対象書類名】明細書
【補正対象項目名】００４２
【補正方法】変更
【補正の内容】
【００４２】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子としては、この種の使い捨ておむつに使用されるものをそのまま使用でき、例えば５００μｍの標準ふるい（ＪＩＳ Ｚ８８０１−１：２００６）を用いたふるい分け（５分間の振とう）でふるい上に残る粒子の割合が３０重量％以下のものが望ましく、また、１８０μｍの標準ふるい（ＪＩＳ Ｚ８８０１−１：２００６）を用いたふるい分け（５分間の振とう）でふるい上に残る粒子の割合が６０重量％以上のものが望ましい。
【手続補正２】
【補正対象書類名】明細書
【補正対象項目名】００７２
【補正方法】変更
【補正の内容】
【００７２】
これらの例のように、非接合部７７を４層構造とする場合、図１１に示す例のように、起き上がりギャザー６０のシートを利用してサイドフラップ部７０を構築すると好ましい。すなわち、前述のサイドフラップ部７０の折り返しシート層は、起き上がりギャザー６０のシートの二層構造が、起き上がりギャザー６０の基点からサイドフラップ部７０の側縁まで延びて形成された第１部分Ｐ１と、起き上がりギャザー６０のシートの二層構造がサイドフラップ部７０の側縁で折り返されて幅方向ＷＤの中央側に延びる第２部分Ｐ２とにより形成することができる。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
ロッドと該ロッドの先端部に設けられた頭パッドとを有する衝撃槌と、該衝撃槌を上下に往復運動させる昇降機構と、を備え、患者に対して胸骨圧迫をする自動心肺蘇生器において、
前記頭パッドは、上側開口部と該上側開口部に連通して前記ロッドの先端部に嵌る嵌合部とを有し、
前記上側開口部の内周面と前記ロッドとの間に、前記頭パッドの角度調整用の隙間が設けられていることを特徴とする自動心肺蘇生器。
【請求項２】
前記隙間は、前記頭パッドの所定の面を前記患者の胸骨圧迫位置に当てた状態を維持させるように構成されていることを特徴とする請求項１に記載の自動心肺蘇生器。
【請求項３】
前記ロッドは、前記隙間に対応する位置に、前記患者の身長方向に交差する方向に延在する切欠き部を有し、
該切欠き部によって、前記頭パッドの角度調整の許容範囲が、前記患者の左右方向よりも前記患者の身長方向の方で大きくなっていることを特徴とする請求項１又は２に記載の自動心肺蘇生器。
【請求項４】
前記ロッドの先端部の表面は、粗面であることを特徴とする請求項１〜３のいずれか一つに記載の自動心肺蘇生器。
【請求項５】
前記頭パッドは、前記嵌合部に連通する下側開口部を更に有し、
前記自動心肺蘇生器は、前記下側開口部から前記患者に向かってレーザー光を照射するレーザー照射機構を備え、
前記衝撃槌は、前記レーザー光の照射時に、前記頭パッドが前記レーザー光の照射を妨げない位置にあることを確認するための初期位置確認手段を備えることを特徴とする請求項１〜４のいずれか一つに記載の自動心肺蘇生器。
【請求項６】
前記頭パッドは、前記嵌合部に連通する下側開口部を更に有し、
前記自動心肺蘇生器は、前記下側開口部から前記患者に向かってレーザー光を照射するレーザー照射機構を備え、
前記頭パッドの角度調整の最大傾き角度は、前記レーザー光の照射が妨げられない角度に設定されていることを特徴とする請求項１〜４のいずれか一つに記載の自動心肺蘇生器。
【請求項７】
前記頭パッドは、前記患者に接触する部分に平面部を有することを特徴とする請求項１〜６のいずれか一つに記載の自動心肺蘇生器。
【請求項８】
前記自動心肺蘇生器は、人工呼吸手段と、前記衝撃槌と前記昇降機構とを有する胸骨圧迫手段と、を備え、
前記人工呼吸手段と前記胸骨圧迫手段とが一体型の装置として構成されていることを特徴とする請求項１〜７のいずれか一つに記載の自動心肺蘇生器。
【手続補正２】
【補正対象書類名】明細書
【補正対象項目名】００１３
【補正方法】変更
【補正の内容】
【００１３】
本発明に係る自動心肺蘇生器では、前記頭パッドは、前記患者に接触する部分に平面部を有することが好ましい。患者への頭パッドの押し当てによる負荷を分散することができ、胸骨圧迫時の胸骨圧迫骨折を防ぐことができる。また、用手法により近似した心臓マッサージを再現することができる。また、平面部を有することによって、患者の姿勢が搬送中に変化しても当該平面部が患者の胸骨圧迫位置に対して常に平行になるように押し当てることができるので、用手法の手のひらによる胸骨圧迫動作をより忠実に再現できる。
本発明に係る自動心肺蘇生器では、前記自動心肺蘇生器は、人工呼吸手段と、前記衝撃槌と前記昇降機構とを有する胸骨圧迫手段と、を備え、前記人工呼吸手段と前記胸骨圧迫手段とが一体型の装置として構成されていることが好ましい。持ち運び性が良く、救命救急の初期において心肺蘇生を迅速に開始することができる。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
複数種類の図柄を可変表示する表示手段と、可変表示を停止させる停止操作手段とを備え、可変表示が停止したときの表示結果に応じて特典を付与可能な遊技機において、
複数の役のうちのいずれの役に当選したか否かを決定する役抽選を行う役抽選手段と、
前記役抽選の結果と前記停止操作手段への操作態様とに応じて図柄を停止する制御を行う停止制御手段と、
前記複数の役のうちの特定役および特別役各々について当選したか否かを決定する所定状態に制御する所定状態制御手段と、
前記所定状態において前記特定役に当選し、当該特定役を入賞させる特定表示結果が停止されることにより特定状態に制御する特定状態制御手段と、
前記特定役に当選してから前記特定表示結果が停止されるまでは当該特定役の当選を持ち越して、前記特別役について当選したか否かを決定しない持越状態に制御する持越状態制御手段と、
前記所定状態において前記特別役に当選し、当該特別役を入賞させる特別表示結果が停止されることにより、前記特定状態よりも遊技者にとって有利な特別状態に制御する特別状態制御手段と、
前記役抽選の結果が所定割合で特定結果となる第１割合期間と、前記役抽選の結果が前記所定割合よりも低い割合で前記特定結果となる第２割合期間とを含む複数の割合期間のいずれかに制御する割合期間制御手段とを備え、
前記所定状態制御手段は、前記特定役に当選した後においては前記特定状態が終了することにより前記所定状態に制御する手段を含み、
前記停止制御手段は、
前記持越状態における前記役抽選の結果が前記特定結果となった遊技においては、前記停止操作手段への操作態様にかかわらず前記特定結果を入賞させる表示結果を停止させる停止制御を行い、
前記持越状態における前記役抽選の結果が前記特定結果以外の所定の結果である遊技においては、前記停止操作手段への操作態様に応じて前記特定表示結果を停止させる停止制御を行い、
前記割合期間制御手段は、
前記持越状態であるか否かにかかわらず、前記第１割合期間において所定期間が経過することにより前記第２割合期間に制御可能である、遊技機。
【請求項２】
前記停止制御手段は、
前記持越状態における前記役抽選の結果が前記特定結果とは異なる複数種類の特別結果のうちのいずれかとなった遊技においては、前記停止操作手段への操作態様が当該特別結果に応じた操作態様であることにより当該特別結果を入賞させる表示結果を停止させ、当該特別結果に応じた操作態様とは異なる操作態様であることにより当選している特定役を入賞させる特定表示結果を停止させる停止制御を行い、
前記持越状態における前記役抽選の結果が前記複数の役のいずれにも当選していないはずれ結果となった遊技においては、前記停止操作手段への操作態様にかかわらず前記特定表示結果を停止させる停止制御を行い、
前記役抽選の結果が前記はずれ結果となる割合は、前記第１割合期間であるときよりも前記第２割合期間であるときの方が高い一方、前記役抽選の結果が前記複数種類の特別結果のいずれかとなる割合は、前記第１割合期間および前記第２割合期間のいずれであるときも同じである、請求項１に記載の遊技機。
【手続補正２】
【補正対象書類名】明細書
【補正対象項目名】０００７
【補正方法】変更
【補正の内容】
【０００７】
本発明のある局面に従う遊技機は、複数種類の図柄を可変表示する表示手段と、可変表示を停止させる停止操作手段とを備え、可変表示が停止したときの表示結果に応じて特典を付与可能な遊技機において、複数の役のうちのいずれの役に当選したか否かを決定する役抽選を行う役抽選手段と、前記役抽選の結果と前記停止操作手段への操作態様とに応じて図柄を停止する制御を行う停止制御手段と、前記複数の役のうちの特定役および特別役各々について当選したか否かを決定する所定状態に制御する所定状態制御手段と、前記所定状態において前記特定役に当選し、当該特定役を入賞させる特定表示結果が停止されることにより特定状態に制御する特定状態制御手段と、前記特定役に当選してから前記特定表示結果が停止されるまでは当該特定役の当選を持ち越して、前記特別役について当選したか否かを決定しない持越状態に制御する持越状態制御手段と、前記所定状態において前記特別役に当選し、当該特別役を入賞させる特別表示結果が停止されることにより、前記特定状態よりも遊技者にとって有利な特別状態に制御する特別状態制御手段と、前記役抽選の結果が所定割合で特定結果となる第１割合期間と、前記役抽選の結果が前記所定割合よりも低い割合で前記特定結果となる第２割合期間とを含む複数の割合期間のいずれかに制御する割合期間制御手段とを備え、前記所定状態制御手段は、前記特定役に当選した後においては前記特定状態が終了することにより前記所定状態に制御する手段を含み、前記停止制御手段は、前記持越状態における前記役抽選の結果が前記特定結果となった遊技においては、前記停止操作手段への操作態様にかかわらず前記特定結果を入賞させる表示結果を停止させる停止制御を行い、前記持越状態における前記役抽選の結果が前記特定結果以外の所定の結果である遊技においては、前記停止操作手段への操作態様に応じて前記特定表示結果を停止させる停止制御を行い、前記割合期間制御手段は、前記持越状態であるか否かにかかわらず、前記第１割合期間において所定期間が経過することにより前記第２割合期間に制御可能であり、また、好ましくは、前記第２割合期間において予め定められた移行図柄が停止されることにより前記第１割合期間に制御可能である。